(57)【要約】【課題】接着層に水を付与した際に生じるコックリングを抑制し、接着性を向上させた再湿型接着シートの提供。【解決手段】（ａ）シート基材と、（ｂ）該シート基材の一方の面上に形成された接着層と、を備える再湿型接着シートであって、前記シート基材が紙材料を含み、前記接着層が、（ｂ−１）酢酸ビニル樹脂及びエチレン−酢酸ビニル樹脂からなる群から選択される少なくとも一を含む接着剤と、（ｂ−２）１分子内に炭素原子を４以上で水酸基を３以上有する化合物Ａ、及び１分子内に炭素原子を７以上で水酸基を２有する化合物Ｂからなる群から選択される少なくとも一のコックリング防止剤と、を含むことを特徴とする再湿型接着シート。【選択図】図１
2018044066.tif 000002
【特許請求の範囲】
【請求項１】
（ａ）シート基材と、
（ｂ）該シート基材の一方の面上に形成された接着層と、
を備える再湿型接着シートであって、
前記シート基材が紙材料を含み、
前記接着層が、
（ｂ−１）酢酸ビニル樹脂及びエチレン−酢酸ビニル樹脂からなる群から選択される少なくとも一を含む接着剤と、
（ｂ−２）１分子内に炭素原子を４以上で水酸基を３以上有する化合物Ａ、及び１分子内に炭素原子を７以上で水酸基を２有する化合物Ｂからなる群から選択される少なくとも一のコックリング防止剤と、を含むことを特徴とする再湿型接着シート。
【請求項２】
さらに、前記接着層が形成されている面とは反対側の面上にインク受容層を備えることを特徴とする、請求項１に記載の再湿型接着シート。
【請求項３】
前記化合物Ａおよび前記化合物Ｂの分子量が６００以下であることを特徴とする、請求項１または２に記載の再湿型接着シート。
【請求項４】
前記化合物Ａが、トリメチロールプロパンおよびトリメチロールエタンからなる群から選択される一以上の化合物であることを特徴とする、請求項１〜３のいずれか一項に記載の再湿型接着シート。
【請求項５】
前記化合物Ｂがポリエチレングリコールであることを特徴とする、請求項１〜４のいずれか一項に記載の再湿型接着シート。
【請求項６】
請求項１〜５のいずれか一項に記載の再湿型接着シートの面のうち、前記接着層が形成されている面とは反対側の面を記録面として、該記録面上に画像が形成されていることを特徴とする、記録シート。
【請求項７】
請求項６に記載の記録シートが対象物に貼付された記録対象物。
【請求項８】
請求項１〜５のいずれか一項に記載の再湿型接着シートの面のうち、前記接着層が形成されている面とは反対側の面を記録面として、該記録面上に画像を印刷記録する工程を含むことを特徴とする、請求項６に記載の記録シートの作製方法。
【請求項９】
請求項６に記載の記録シートの接着層に水を塗布する工程と、
前記水を塗布された記録シートを対象物に貼付する工程と、
を含むことを特徴とする、請求項７に記載の記録対象物の作製方法。
【発明の詳細な説明】
【技術分野】
【０００１】
本発明は、乾燥接着面を水で濡らして粘着性を回復させた後に貼り合わせる、再湿型接着シートに関する。
【背景技術】
【０００２】
一般の粘着ラベルは、ラベル、シール、ステッカー、ワッペン等として商業用、工業用、事務用、家庭用などの広範囲な用途に使用されている。
【０００３】
一般的な粘着ラベルは、記録面とは反対側の面に接着層が設けられ、該接着層の表面に剥離紙が積層されている。よって、ラベルを被着体に貼り付けた際に大量の剥離紙が排出される。剥離紙は、通常の古紙回収設備で再生処理を行うことができないため、焼却処分や埋め立て処分されているのが現状である。また、プリンターへロール状に巻かれた状態でセットするラベルにおいては、剥離紙が積層されていると１ロールあたりのラベル枚数が少なくなるため、未印刷ロールを頻繁に補給する必要があり、利便性が損なわれるという問題があった。
【０００４】
一方、剥離紙を必要としない再湿型接着シートが知られている（特許文献１）。
【０００５】
再湿型接着シートは、記録面の裏側面に、水分を付与すると接着性を発現する接着層が形成されたシートである。接着層に使用される接着剤は、水溶性もしくは水分散性の高分子（具体的には、ポリビニルアルコール、ポリ酢酸ビニル、アクリル等）であり、通常の温湿度環境下ではほとんど接着性を示さない。よって、再湿型接着シートは、前記一般の粘着ラベルのように剥離紙を必要としないため、省資源であり、環境にやさしい点で有利である。
【０００６】
しかしながら、基材に紙を使用した再湿型接着シートは、接着層に水を付与した際に水が基材まで浸透し、シートに皺が寄って波状になるコックリング（ｃｏｃｋｌｉｎｇ）と呼ばれる現象を引き起こす。このため、コックリング部が被着体に密着できず、接着性を低下させていた。
【先行技術文献】
【特許文献】
【０００７】
【特許文献１】特公昭４６−１１４３８号公報
【発明の概要】
【発明が解決しようとする課題】
【０００８】
したがって、本発明が解決しようとする課題は、かかる再湿型接着シートにおいて、接着層に水を付与した際に生じるコックリングを抑制し、接着性を向上させた再湿型接着シートを提供することにある。
【課題を解決するための手段】
【０００９】
本発明の第一の態様は、
（ａ）シート基材と、
（ｂ）該シート基材の一方の面上に形成された接着層と、
を備える再湿型接着シートであって、
前記シート基材が紙材料を含み、
前記接着層が、
（ｂ−１）酢酸ビニル樹脂及びエチレン−酢酸ビニル樹脂からなる群から選択される少なくとも一を含む接着剤と、
（ｂ−２）１分子内に炭素原子を４以上で水酸基を３以上有する化合物Ａ、及び１分子内に炭素原子を７以上で水酸基を２有する化合物Ｂからなる群から選択される少なくとも一のコックリング防止剤と、
を含むことを特徴とする再湿型接着シートである。
【００１０】
本発明の第二の態様は、本発明の第一の態様の再湿型接着シートの面のうち、前記接着層が形成されている面とは反対側の面を記録面として、該記録面上に画像（７）が形成されている記録シートである。
【００１１】
本発明の第三の態様は、本発明の第二の態様の記録シートが対象物に貼付された記録対象物である。
【００１２】
本発明の第四の態様は、本発明の第一の態様の再湿型接着シートの面のうち、前記接着層が形成されている面とは反対側の面を記録面として、該記録面上に画像を印刷記録する工程を含むことを特徴とする、本発明の第二の態様の記録シートの作製方法である。
【００１３】
本発明の第五の態様は、本発明の第四の態様の記録シートの接着層に水を塗布する工程と、前記水を塗布された記録シートを対象物に貼付する工程と、を含むことを特徴とする、本発明の第三の態様の記録対象物の作製方法である。
【発明の効果】
【００１４】
本発明によれば、コックリングの発生が緩和され、接着性に優れた再湿型接着シートが提供できる。
【図面の簡単な説明】
【００１５】
【図１】（ａ）は、本発明の第一の態様の一実施態様である典型的な再湿型接着シート（画像印刷を備える記録シートとしての一態様）を、画像印刷面側（接着層とは反対側の面）からみた正面図であり、（ｂ）は、紙面に垂直なＡ−Ａ’面で切断した場合の図１（ａ）の再湿型接着シートの断面図であり、（ｃ）は、図１（ｂ）断面図において、接着層に水を塗布する工程を説明する図である。
【図２】本発明の第四の態様における画像印刷工程、及び本発明の第五の態様における水塗布工程を実施するための各装置の一実施態様を説明する図である。
【図３】本発明の第五の態様における水塗布工程を実施するための装置の一実施態様を説明する図である。
【図４】コックリングの発生メカニズムを説明する図である。（ａ）は、水添加前の接着層中の水素結合の様子を示す図であり、（ｂ）は、水添加後、接着層中の水素結合が切断される様子を示す図であり、（ｃ）は、図４（ｂ）の水素結合切断・乾燥後、新たに水素結合が形成される様子を示す図である。
【発明を実施するための形態】
【００１６】
［１］本発明の第一の態様
図１を参照しつつ本態様について以下、説明する。
【００１７】
本態様の再湿型接着シートは、紙材料を含むシート基材（３）と、該シート基材の一方の面上に形成された接着層（４）とを含む。そして、接着層には、適切な水分の付与により接着性を発現する再湿型接着剤と、コックリングを防止するためのコックリング防止剤とが含まれる。
【００１８】
さらに、好ましくは、接着層が形成されている面とは反対側の面上に、インク吸収性、インク乾燥性、記録画像の鮮明性などを考慮して、インク受容層（２）を設けてもよい。これにより、後記する本発明の第二の態様における記録面として、より良好に機能することができる。
【００１９】
（１−１）シート基材
シート基材としては、紙材料を含む任意の公知材料を使用することができる。
【００２０】
典型的には、製紙用パルプと従来公知の填料を主成分として、バインダー、サイズ剤、定着剤、歩留まり向上剤、カチオン化剤、紙力増強剤などの各種添加剤を必要に応じ１種以上用いて混合した材料を用いて製造することができる。
【００２１】
製紙用パルプとしては、ＬＢＫＰ（広葉樹晒クラフトパルプ）、ＮＢＫＰ（針葉樹晒クラフトパルプ）などの化学パルプ；ＧＰ（砕木パルプ）、ＰＧＷ（加圧式砕木パルプ）、ＲＭＰ（リファイナーメカニカルパルプ）、ＴＭＰ（サーモメカニカルパルプ）、ＣＴＭＰ（ケミサーモメカニカルパルプ）、ＣＭＰ（ケミメカニカルパルプ）、ＣＧＰ（ケミ砕木パルプ）などの機械パルプ；ＤＩＰ（脱インキパルプ）などの古紙パルプなどの木材パルプを例示することができる。
【００２２】
これらの紙材料を用いた原紙は、長網抄紙機、円網抄紙機、ツインワイヤー抄紙機などの各種装置で製造することができる。
【００２３】
また、原紙のみならず、該原紙に対して澱粉、ポリビニルアルコールなどでのサイズプレスやアンカーコート層を設けた上質紙、さらにコート層を設けたアート紙、コート紙、キャストコート紙、バライタ紙などの塗工紙を用いることもできる。
【００２４】
原紙、上質紙または塗工紙は、必要に応じてマシンカレンダー、ソフトニップカレンダー、スーパーカレンダー、多段カレンダー、マルチニップカレンダー等により表面を平滑化することができる。
【００２５】
（１−２）接着層
接着層には、適切な水分の付与により接着性を発現する再湿型接着剤と、コックリングを防止するためのコックリング防止剤とが含まれる。
【００２６】
（１−２−１）再湿型接着剤
再湿型接着剤とは、水分の付与によって粘着力が生じる接着剤であり、本発明に使用される再湿型接着剤は、酢酸ビニル樹脂及びエチレン−酢酸ビニル樹脂からなる群から選択される少なくとも一の接着剤を含む。これらは単独あるいは２種以上を混合して用いてもよい。理由は明らかではないが、接着層に酢酸ビニル樹脂やエチレン−酢酸ビニル共重合体を用いた再湿型接着シートは、高温高湿下で保管してもＯＤが低下しない。また、接着層に酢酸ビニル樹脂やエチレン−酢酸ビニル共重合体を用いた再湿型接着シートは、接着層にアクリル樹脂を用いたシートに比べ、ロール状に巻いた状態で保管（または使用）しても、接着層表面と記録面との貼り付きが生じ難い。
【００２７】
もっとも、本発明の技術的効果を著しく損なわない範囲において、その他の再湿型接着剤を補助的に含んでいてもよい。例えば、にかわ、ゼラチン、カゼイン、アルブミン、大豆タンパク等の蛋白質系；でんぷん、デキストリン等の含水炭素系；メチルセルロース、ヒドロキシエチルセルロース、エチルヒドロキシエチルセルロース、カルボキシメチルセルロース、ビスロース等のセルロース系；アラビアゴム、トラガントゴム、アルギン酸ソーダ、ポリビニルアルコール等の水溶性化合物が挙げられる。
【００２８】
（１−２−２）コックリング防止剤
本発明で使用する接着剤に添加するコックリング防止剤は、炭素数が４以上であって、ＯＨ基を３つ以上もつ化合物Ａ、あるいは炭素数が７以上であって、ＯＨ基を２つもつ化合物Ｂを含む。
【００２９】
化合物Ａは典型的にはアミノ基等の極性官能基を含んでいてもよいポリオール類である。その具体例としては、トリメチロールプロパン、トリメチロールエタン、トリス（ヒドロキシメチル）アミノメタン、１，２，６−ヘキサントリオール、ジグリセリン、ジグリセリンのＥＯ付加物等がある。またさらに、糖類が挙げられ、Ｄ−型およびＬ−型のフルクトース、タガトース、ソルボース、リボース、キシロース、アラビノース、リキソース、グルコース、マンノース、アロース、アルトロース、ギュロース、イドース、ガラクトース、タロース、グロース、マルトース、セロビオース、トレハロース、ゲンチオビオース、イソマルトース、ラクトース、スクロース、ショ糖、ラフィノース、ゲンチアノース、スタキオース、キシラン等、オリゴ糖類、環状オリゴ糖類、が挙げられる。更に、糖アルコールとしては、単糖、多糖アルコール類が挙げられ、例えば、テトリトール、Ｄ−エリトール、Ｌ−エリトール、Ｄ−アラビニトール、キシリトール、アドニトール、リビトール、Ｄ−ソルビトール、アリトール、Ｄ−マンニトール、Ｄ−イジトール、Ｄ−タリトール、ズルシトール、ヘプチトール、マルチトール等が挙げられる。特に、トリメチロールプロパン、トリメチロールエタンのように炭素数５以上のものはコックリングを防止する効果に優れているので好ましい。
【００３０】
化合物Ｂは典型的にはアルキレングリコールまたはポリ（アルキレングリコール）類である。その具体例としては、１，７−ヘプタンジオール、トリプロピレングリコール、テトラエチレングリコール、ポリエチレングリコール、ポリプロピレングリコール等が挙げられる。特に、ポリエチレングリコールはコックリングを防止する効果に優れているので好ましい。
【００３１】
また、本発明で使用するコックリング防止剤は、水に対する溶解度を考慮して、分子量が６００以下の比較的低分子のものを使用するのが好ましい。
【００３２】
これらの化合物が接着層に含有されることにより、接着層に水を付与した際にコックリングが抑えられる。理由は明らかではないが、次のように推測している。
【００３３】
紙に水分が付与されると、紙のセルロース繊維間に形成されている水素結合が切断される［図４（ａ）（ｂ）参照］。その後、セルロース繊維間に入り込んだ水が蒸発すると、切断された水素結合は再結合するが、その際、切れる前と同じ位置で再結合が行われず、別の位置で再結合するので繊維に伸縮が生じる［図４（ｃ）参照］。これに対し、接着層に上記コックリング防止剤を添加した場合は、接着層に水が付与されると、その水にコックリング防止剤が溶解し、水と共に紙へ浸透する。コックリング防止剤は、複数の水酸基を持つのでセルロースと結合でき、水よりも蒸発し難いことから、乾燥させてもその場に留まる。よって、セルロース繊維間の水素結合の切断や再結合が起き難くなり、結果として、コックリングが低減されると考えられる。
【００３４】
また、分子量が６００以下のコックリング防止剤は水に溶解しやすく、紙のセルロース繊維の間に入り込み易いので、コックリング抑制効果がさらに高くできると思われる。
【００３５】
（１−３）インク受容層
接着層が形成されている面とは反対側の面上に、インク吸収性、インク乾燥性、記録画像の鮮明性などを考慮して、任意にインク受容層（２）を積層してもよい。これは後記する本発明の第二の態様の記録物を作製するのに便宜である。
【００３６】
例えば、インク受容層として、顔料および結着剤を主成分として形成されてよい。
【００３７】
顔料としては、例えばシリカ、クレー、マイカ、膨潤性雲母、タルク、カオリン、ケイソウ土、炭酸カルシウム、硫酸バリウム、ケイ酸アルミニウム、合成ゼオライト、アルミナ、酸化亜鉛、リトポン、サチンホワイト等の顔料及び、有機または無機の着色顔料が挙げられる。
【００３８】
また、結着剤としては、例えば、アクリル系樹脂、ポリエステル樹脂、ポリウレタン樹脂、スチレン-ブタジエン共重合樹脂、アクリロニトリル-ブタジエン共重合樹脂、ポリビニルアルコール系樹脂、水溶性ポリビニルアセタール樹脂、ポリビニルブチラール樹脂、その他のビニル系樹脂、アミド系樹脂、酸化澱粉、カゼイン、ポリエチレンオキサイド、ポリビニルピロリドン、シリコーン系樹脂、ロジン変性マレイン酸樹脂、ロジン変性フェノール樹脂、アルキド樹脂、クマロン−インデン樹脂等の水溶性樹脂および水性エマルジョン樹脂が挙げられる。
【００３９】
上記インク受容層（２）には、ラベルシート（１）のシートとしての特性を改善する他の成分が添加されてよい。例えば、ラベルシート上に形成されたドット径をコントロールする方法として、シリコーンエマルジョンや水溶性シリコーン化合物を添加したり、顔料としてフッ素を含有する合成無定形シリカを使用してもよい。
【００４０】
また、インク受容層（２）の耐水性の向上、インクの滲み防止機能を付与するためにメラミンホルムアルデヒド樹脂、尿素ホルムアルデヒド樹脂、アクリルアミド系樹脂、グリオキザール、炭酸ジルコニウムアンモニウム等の耐水化剤を添加してもよい。またインクジェット記録用紙の生産性、記録特性、あるいは保存安定性をより高めるための、分散剤、蛍光染料、ｐＨ調整剤、消泡剤、湿潤剤、防腐剤などを加えてもよい。
【００４１】
（１−４）再湿型接着シートの作製方法
本発明の再湿型接着シートは、任意の公知の方法により作製することができるが、たとえば以下の方法により作製できる。
【００４２】
（ｉ）転写法
再湿型接着剤及びコックリング防止剤を含む接着層用塗液（水溶液）を調製し、該塗液を剥離シート上に塗布後、乾燥させて接着層を形成する。次いで、別途用意したシート基材上に、前記剥離シート上に形成した接着層を転写する。
【００４３】
（ｉｉ）直接法
再湿型接着剤及びコックリング防止剤を含む接着層用塗液（水溶液）を調製し、該塗液を直接、シート基材上に塗布・乾燥させて接着層を形成する。
【００４４】
なお、前記接着層用塗液を基材、または剥離シートへ塗布する装置としては、例えばロールコーター、リバースロールコーター、ナイフコーター、エアーナイフコーター、バーコーター、スロットダイコーター、リップコーター、グラビアコーター、リバースグラビアコーター、スプレー噴霧器等の一般の塗布装置が挙げられ、また、スクリーン印刷、グラビア印刷等の印刷機でも製造することができる。
【００４５】
また、接着層用塗液へのコックリング防止剤の添加量は、再湿型接着剤１００質量部に対して２０〜５０質量部とすることが好ましい。より好ましくは、再湿型接着剤１００質量部に対して２０〜４０質量部の範囲であり、接着性の低下を防ぐことができる。また、接着層用塗液中の水の量は、接着剤１００質量部に対して８０〜２００質量部とすることが好ましく、接着剤をシートに塗布しやすい粘度に調節することができる。
【００４６】
接着剤層の塗布量は、乾燥重量で３〜３０ｇ／ｍ2程度の範囲で調節することが好ましい。得られるシートの被着体に対する接着性能を十分に確保する観点からは、塗布量は３ｇ／ｍ2以上が好ましく、他方で、接着性能増加の程度及び経済上の観点からは、塗布量は３０ｇ／ｍ2以下が好ましい。
【００４７】
［２］本発明の第二／第三の態様
（本発明の第二の態様）
本態様は、本発明の第一の態様の再湿型接着シートの面のうち、前記接着層が形成されている面とは反対側の面を記録面として、該記録面上に画像（７）が形成されている記録シートである。
【００４８】
このような記録物としては、ラベル、シール、ステッカー、ワッペン等として商業用、工業用、事務用、家庭用などの広範囲な用途に使用されている粘着ラベルを挙げることができる。
【００４９】
特に本態様で画像が形成されるべき第一の態様の再湿型接着シートとしては、前記（１−３）で説明したインク受容層を備えた再湿型接着シートが好ましく、この場合、画像（７）はこのインク受容層上に形成することができる。
【００５０】
（本発明の第三の態様）
本態様は、本発明の第二の態様の記録シートが対象物に貼付された記録対象物である。
【００５１】
ここにいう対象物としては、記録シートが貼付可能な任意の対象物が含まれる。
【００５２】
［３］本発明の第四／第五の態様
図２は本発明の再湿型接着シートを用いた記録装置、再湿型接着シートのカット工程、再湿型接着シートの接着層に水を付与する工程（以下、モイスナ）までの一連の流れの一例を説明する概略図である。
【００５３】
以下、図２等を参照しつつ、本態様について説明する。
【００５４】
（本発明の第四の態様）
本態様は、本発明の第一の態様の再湿型接着シートの面のうち、前記接着層が形成されている面とは反対側の面を記録面として、該記録面上に画像を印刷記録する工程を含むことを特徴とする、本発明の第二の態様の記録シートの作製方法である。
【００５５】
本態様では、再湿型接着シート作製（接着層形成）後に印刷する。これは、前記（１−４）で説明した直接法により再湿型接着シートを作製（接着層形成）する場合には特に有利である。すなわち、シート基材印刷後に接着層を形成する場合と比べて少なくとも、接着層用塗液中の水分による画像の滲みや基材のコックリングを防止できるからである。
【００５６】
＜インク付与方法＞
まず画像を印刷するためのインク付与方法としては、特に限定されないが、インクジェット方式を用いてもよい。インクジェット方式としては、例えば電気−熱変換体によりインクに膜沸騰を生じさせ気泡を形成することでインクを吐出するサーマルインクジェット方式、電気−機械変換体によってインクを吐出するピエゾインクジェット方式などが挙げられる。中でもサーマルインクジェット方式を用いることが好ましい。
【００５７】
＜インク＞
また、再湿型接着シートの印字面の記録に用いられるインクとしては、染料インクおよび顔料インクのどちらも好適に使用できる。しかしながら、再湿型接着剤に水を付与する工程でシートの裏側面からの水や水溶性溶剤によるインクの移動（マイグレーション）を防止する観点からは、顔料インクが好ましく用いられる。さらに、顔料インクは印字画像の耐光性を付与させることが可能であるため、好ましく用いられる。
【００５８】
＜色材＞
本態様において、色材としては顔料及び染料が挙げられる。顔料及び染料は従来公知のものを何れも使用する事ができる。もっとも本態様においては、画像の耐水性の観点から、顔料を用いる事が好ましい。色材の含有量（質量％）としては、インク全質量を基準として、０．１質量％以上１５．０質量％以下が好ましく、更には１．０質量％以上１０．０質量％以下とするのがより好ましい。
【００５９】
本態様において、色材として顔料を用いる場合、顔料の分散方法としては、分散剤として樹脂を用いる樹脂分散タイプの顔料や顔料粒子の表面に親水性基を導入した自己分散タイプの顔料（自己分散顔料）が挙げられる。前者の樹脂分散タイプの顔料としては、樹脂分散剤を使用した樹脂分散顔料、顔料粒子の表面を樹脂で被覆したマイクロカプセル顔料、顔料粒子の表面に樹脂を含む有機基が化学的に結合した樹脂結合顔料を例示できる。無論、分散方法の異なる顔料を併用する事も可能である。
【００６０】
具体的な顔料としては、カーボンブラックや有機顔料を用いる事が好ましい。
【００６１】
また、顔料は１種又は２種以上を組み合わせて用いる事ができる。
【００６２】
また、液体組成物に使用する顔料が前記樹脂分散タイプの顔料であるときは、樹脂を分散剤として用いる。分散剤として用いる樹脂は親水性部位と疎水性部位を共に有する事が好ましい。具体的には、アクリル酸やメタクリル酸などカルボキシル基を有するモノマーを用いて重合したアクリル樹脂；ジメチロールプロピオン酸などアニオン性基を有するジオールを用いて重合したウレタン樹脂などが挙げられる。また、分散剤として用いる樹脂の酸価は５０ｍｇＫＯＨ／ｇ以上３００ｍｇＫＯＨ／ｇ以下である事が好ましい。また、分散剤として用いる樹脂のＧＰＣにより得られるポリスチレン換算の重量平均分子量（Ｍｗ）は、１，０００以上１５，０００以下である事が好ましい。また、インク中の樹脂分散剤の含有量（質量％）は、インク全質量を基準として、０．１質量％以上１０．０質量％以下、更には、０．２質量％以上４．０質量％以下である事が好ましい。また、樹脂分散剤の含有量（質量％）が、顔料の含有量（質量％）に対して、質量比率で０．１倍以上１．０倍以下である事が好ましい。
【００６３】
本発明において、色材として染料を用いる場合、スルホン酸基やカルボキシル基などのアニオン性基があることで水溶性を有する染料を用いることが好ましい。具体的には、カラーインデックス（ＣＯＬＯＵＲ ＩＮＤＥＸ）に記載された、酸性染料、直接染料、反応性染料などが挙げられる。また、カラーインデックスに記載のない染料であっても、スルホン酸基やカルボキシ基などのアニオン性基を少なくとも有する染料であれば、好適に使用することができる。
【００６４】
本態様において色材として顔料を用いる場合、特別な制限はなく、無機顔料、有機顔料のいずれも使用することができる。無機顔料としては、酸化チタン及び酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。
【００６５】
本発明においては、これらの顔料は、分散剤または界面活性剤で水性媒体中に分散させて得られた顔料分散液としてインクに添加することができる。即ち、本発明において用いられる前記インク組成物は、前記顔料を、分散剤又は界面活性剤で水性媒体中に分散させてなるものが好ましく用いられる。
【００６６】
この際用いることができる分散剤としては、顔料分散液を調製するのに慣用されている分散剤、例えば高分子分散剤を使用することができる。また界面活性剤及び水性媒体としては、通常、この種のインク組成物に用いられるものであれば特に制限なく用いることができる。また、各成分の組成比も、通常のインク組成物と同じ範囲でよい。
【００６７】
＜記録装置＞
具体的な印刷記録のための装置が図２に例示されている。これによれば、記録装置（１０）はホストＰＣ（１１）に接続されている。そして、ホストＰＣ（１１）から送信される記録情報に基づいて、４つの記録ヘッド１２Ｋ、１２Ｃ、１２Ｍ、１２Ｙから再湿型接着シートにインクを吐出することで記録を行って記録シートを得ることができる。
【００６８】
なお、印刷記録後は、記録シートは図２のＢ方向に搬送される。そして、記録装置（１０）から排出されると共にカッター（２０）により印刷図柄に合わせて切断することができる（切断された記録シート：「記録ラベルＰ」と呼ぶ場合もあるが、記録シートの範疇に含めるものとする）。
【００６９】
（本発明の第五の態様）
本態様は、本発明の第二の態様の記録シートの接着層に水を塗布する工程と、前記水を塗布された記録シートを対象物に貼付する工程と、を含むことを特徴とする、本発明の第三の態様の記録対象物の作製方法である。
【００７０】
図２及び図３において、本態様の水塗布工程の一例が図示されている。
【００７１】
すなわち、図２には、記録シートがＢ方向に搬送され、（カッター（２０）による印刷図柄に合わせた切断工程を経て）、モイスナ（３０）に移動する様子が図示されている。
【００７２】
図３に示すように、モイスナ（３０）において、記録シートを繰り出すロールモータ（図示せず）、及び低速度で記録ラベルＰを搬送する搬送モータ（３４）等を駆動して水塗布刷毛（３２）により接着剤に水を付与される。
【００７３】
なお、水塗布の方法としては、通常使用される塗工装置を用いることができ、特に限定されない。例えば、ロールコーター、エアーナイフ、バーコーター、ロッドブレードコーター等の各種ブレードコーター、ショートドウェルコーター、カーテンコーター等の各種塗工装置やスプレー等を用いることが出来る。
【００７４】
このようにして、接着層に水塗布された記録ラベルＰ（記録シート）は、任意の対象物に貼付することができる。
【実施例】
【００７５】
［再湿型接着シートの作製］
（実施例１）
Ａ４サイズのＦＢ−１０１（キヤノン普通紙）に、酢酸ビニル樹脂１００質量部、トリメチロールプロパン４０質量部、水１００質量部を混合した混合液を、乾燥後の塗布量が１０ｇ／ｍ2になるようにバーコーターで塗布した。次いで、９０℃で２時間乾燥させて再湿型接着シート１を得た。
【００７６】
（実施例２）
実施例１の酢酸ビニル樹脂をエチレン−酢酸ビニル共重合体に変更した以外は実施例１と同様にして再湿型接着シート２を得た。
【００７７】
（実施例３）
実施例１の酢酸ビニル樹脂１００質量部を酢酸ビニル樹脂５０質量部＋エチレン−酢酸ビニル共重合体５０質量部に変更した以外は実施例１と同様にして再湿型接着シート３を得た。
【００７８】
（実施例４）
実施例１のトリメチロールプロパン４０質量部をトリメチロールエタン４０質量部に変更した以外は実施例１と同様にして再湿型接着シート４を得た。
【００７９】
（実施例５）
実施例１のトリメチロールプロパン４０質量部をポリエチレングリコール６００（平均分子量５７０〜６４０）４０質量部に変更した以外は実施例１と同様にして再湿型接着シート５を得た。
【００８０】
（実施例６）
実施例１のトリメチロールプロパン４０質量部を３０質量部に変更した以外は実施例１と同様にして再湿型接着シート６を得た。
【００８１】
（実施例７）
実施例１のトリメチロールプロパン４０質量部を５０質量部に変更した以外は実施例１と同様にして再湿型接着シート７を得た。
【００８２】
（実施例８）
実施例１のトリメチロールプロパン４０質量部をトリメチロールプロパン２０質量部＋トリメチロールエタン２０質量部に変更した以外は実施例１と同様にして再湿型接着シート８を得た。
【００８３】
（実施例９）
実施例１のトリメチロールプロパン４０質量部をトリメチロールプロパン３０質量部＋グリセリン１０質量部に変更した以外は実施例１と同様にして再湿型接着シート９を得た。
【００８４】
（実施例１０）
実施例９の酢酸ビニル樹脂１００質量部を酢酸ビニル樹脂５０質量部＋エチレン−酢酸ビニル共重合体５０質量に変更した以外は実施例９と同様にして再湿型接着シート１０を得た。
【００８５】
（実施例１１）
実施例１のトリメチロールプロパン４０質量部を２０質量部に変更した以外は実施例１と同様にして再湿型接着シート１１を得た。
【００８６】
（実施例１２）
実施例１のトリメチロールプロパン４０質量部を６０質量部に変更した以外は実施例１と同様にして再湿型接着シート１２を得た。
【００８７】
（実施例１３）
実施例１のトリメチロールプロパン４０質量部をポリエチレングリコール１０００（平均分子量９００〜１１００）４０質量部に変更した以外は実施例１と同様にして再湿型接着シート１３を得た。
【００８８】
（比較例１）
実施例１のトリメチロールプロパン４０質量部をグリセリン４０質量部に変更した以外は実施例１と同様にして再湿型接着シート１４を得た。
【００８９】
（比較例２）
実施例１のトリメチロールプロパン４０質量部を０質量部に変更（すなわちコックリング剤無添加）した以外は実施例１と同様にして再湿型接着シート１５を得た。
【００９０】
＜コックリングの評価＞（実施例１〜１３、比較例１および２）
Ａ４サイズのＦＢ−１０１（キヤノン普通紙）で作製した再湿型接着シート１〜１５を４インチ×５インチに切断し、４インチ×５インチラベル（キヤノンファインテック製）の記録面にテープで仮止めしてロール状に巻き取り、インクジェットプリンタＬＸ−Ｐ５５００（キヤノンファインテック製）を用いて、ブラックインクを打ち込み量５０％で印刷した。その後、４インチ×５インチラベルの記録面から印刷された再湿型接着シート（記録シート）を剥がし、接着層にバーコーターにて水を塗布したものを葉書に貼り付け、水平な場所に静置して５分後の状態を評価した。結果を表１に示す。
評価基準：
○：コックリングがない（目視観察）
△：コックリングの波の高さ（静置面からの高さ）が全て１ｍｍ未満である
×：コックリングの波の高さ（静置面からの高さ）が１ｍｍ以上の部分がある
【００９１】
＜接着性の評価＞（実施例１〜１３、比較例１および２）
Ａ４サイズのＦＢ−１０１（キヤノン普通紙）で作製した再湿型接着シート１〜１５を４インチ×８インチに切断し、４インチ×８インチラベル（キヤノンファインテック製）の記録面にテープで仮止めしてロール状に巻き取り、インクジェットプリンタＬＸ−Ｐ５５００（キヤノンファインテック製）を用いて、ブラックインクを打ち込み量５０％で印刷を行った。その後、４インチ×８インチラベルの記録面から印刷された再湿型接着シートを剥がし、シートを２５×１５０ｍｍの試験片に切断した。次いで、試験片の接着層にバーコーターにて水を塗布し、２５ｍｍ×１５０ｍｍに切断した葉書に接着長さが１００ｍｍとなるように貼り付け、荷重３３．８ｋｇ/ｍ2で３０秒圧着した。その後、直ちに再湿型接着シートを引っ張り試験機（テスター産業製ＴＥ−２００１°ＱＣ引張試験機）にセットし、９０度垂直方向に引っ張り速度２００ｍｍ／分で剥離の度合いを測定した。尚、測定は、温度２３℃、湿度５０％ＲＨの下で行なった。結果を表１に示す。  
評価基準：
○：接着面は剥離しておらず、葉書もしくは再湿型接着シートの基材が破壊されている。
△：接着面が一部剥離し、葉書もしくは再湿型接着シートの基材も破壊されている。尚、接着面の剥離面積は接着面の１０％未満である。
×：接着面が一部剥離し、葉書もしくは再湿型接着シートの基材も破壊されている。尚、接着面の剥離面積は接着面の１０％以上である。
【００９２】
【表１】
2018044066.tif 000003
【００９３】
表１の結果から分かるように、本願発明の再湿型接着シートは、水を付与した際に生じるコックリングが抑制されている（本願発明の規定するコックリング防止剤を含まない比較例１及び２との比較）。特に、接着剤１００重量部に対してコックリング防止剤を３０〜５０質量部添加したものはコックリングの抑制効果が高く、接着性も良好であった（実施例１〜１０と、１１および１２との比較）。
【００９４】
また、分子量が６００のコックリング防止剤を使用したものは、分子量が１，０００のコックリング防止剤を使用したものに比べてコックリングの抑制効果が高かった（実施例１〜１０と１３との比較）。
【００９５】
＜印刷濃度の評価＞（実施例１４〜１７、比較例３および４）
（実施例１４）
実施例１で作製した再湿型接着シート１を４インチ×５インチに切断したものを１０枚用意し、記録面を上にして１０枚積み重ねた。その後、５００ｇの荷重をかけ、温度３５℃湿度８０％環境下で一週間保管した。これを再湿型接着シート１７とした。
【００９６】
（実施例１５）
実施例２で作製した再湿型接着シート２を用いる以外は実施例１４と同様にして再湿型接着シートを保管した。これを再湿型接着シート１８とした。
【００９７】
（比較例３）
実施例１の酢酸ビニル樹脂をポリビニルアルコールに変更した以外は実施例１と同様にして再湿型接着シート１６を得た。また、再湿型接着シート１６を用いる以外は実施例１４と同様にして再湿型接着シートを保管した。これを再湿型接着シート１９とした。
【００９８】
（実施例１６）
実施例１４において、温度を２３℃、湿度を４０％に変更した以外は実施例１４と同様にして再湿型接着シートを保管した。これを再湿型接着シート２０とした。
【００９９】
（実施例１７）
実施例２で作製した再湿型接着シートを用いる以外は実施例１４と同様にして再湿型接着シートを保管した。これを再湿型接着シート２１とした。
【０１００】
（比較例４）
比較例３で作製した再湿型接着シートを用いる以外は実施例１４と同様にして再湿型接着シートを保管した。これを再湿型接着シート２２とした。
【０１０１】
実施例１４〜１７、比較例３、４で作製した再湿型接着シート１７〜２２をそれぞれの環境から取り出し、その後４インチ×５インチラベル（キヤノンファインテック製）の記録面にテープで仮止めしてロール状に巻き取った。次いで、インクジェットプリンタＬＸ−Ｐ５５００（キヤノンファインテック製）を用いて、ブラックインクを打ち込み量５０％で印刷を行ない、Ｘ−Ｒｉｔｅ５０４（Ｘ−Ｒｉｔｅ社製、分光濃度計）を用いて印字濃度を測定した。結果を表２に示す。
【０１０２】
【表２】
2018044066.tif 000004
【０１０３】
表２から分かるように、接着剤として酢酸ビニル樹脂、またはエチレン−酢酸ビニル共重合体を使用した再湿型接着シートは、高温高湿下で保管しても印刷濃度に変化は見られなかった。（実施例１４〜１７と比較例３、４との比較）
【符号の説明】
【０１０４】
１  再湿型接着シート（記録シート）
２  インク受容層（記録面）
３  シート基材
４  接着層
４’接着層（水塗布後）
５  水
６  貼付対象物
７  印刷画像
１０  記録装置
１１  ホストＰＣ
１２  記録ヘッド
２０  カッター
３０  水付与機構（モイスナ）
３１  貯水桶
３２  水塗布刷毛
３３  水
３４  搬送モータ
３５  水塗布された記録シートの搬送方向
Ａ−Ａ’紙面に垂直な面
Ｂ  再湿型接着シート（記録シート）の搬送方向
Ｂｋ  ブラックインク
Ｃ  シアンインク
Ｍ  マゼンタインク
Ｙ  イエローインク
ＰＣ  パーソナルコンピューター
【図１】
2018044066.tif 000005
【図２】
2018044066.tif 000006
【図３】
2018044066.tif 000007
【図４】
2018044066.tif 000008